(57)【特許請求の範囲】
【請求項１】
結束紙幣を搬送する結束紙幣搬送路と、
装置外部から脱着可能に設けられ、結束紙幣を収納するための開口部を有し、結束紙幣を収納する結束紙幣回収カセットと、
前記結束紙幣搬送路に設けられ、前記開口部から前記結束紙幣回収カセットに結束紙幣を収納する収納位置と前記開口部を通過させながら結束紙幣を搬送する搬送位置とを取る開閉機構と
を備え、
装置外部から前記結束紙幣回収カセットを脱着する間も前記開閉機構を前記搬送位置にして前記結束紙幣搬送路で結束紙幣を搬送可能であることを特徴とする紙幣処理装置。
【請求項２】
前記結束紙幣回収カセットは、前記開口部を開放する開放位置と前記開口部を閉鎖する閉鎖位置とを取るカセット開閉機構を有し、
前記結束紙幣回収カセットを前記紙幣処理装置に装着すると前記カセット開閉機構が前記開放位置となり、前記結束紙幣回収カセットを前記紙幣処理装置から取り外す際には前記カセット開閉機構が前記閉鎖位置となる
ことを特徴とする請求項１に記載の紙幣処理装置。
【請求項３】
結束紙幣の収納及び繰出を行う結束紙幣収納部
をさらに備え、
前記結束紙幣収納部に収納している結束紙幣の数に基づいて超過分とされた結束紙幣が、前記結束紙幣回収カセットに収納される
ことを特徴とする請求項１又は２に記載の紙幣処理装置。
【請求項４】
前記結束紙幣収納部へ収納する結束紙幣及び前記結束紙幣収納部から繰り出される結束紙幣が前記開閉機構を通過して前記結束紙幣搬送路を搬送される
ことを特徴とする請求項３に記載の紙幣処理装置。
【請求項５】
バラ紙幣の収納及び繰出を行うバラ紙幣収納部と、
所定枚数のバラ紙幣を結束する紙幣結束部と、
をさらに備え、
前記バラ紙幣収納部に収納されたバラ紙幣の収納枚数が予め設定された閾値に達した場合に、前記バラ紙幣収納部から繰り出した所定枚数のバラ紙幣が前記紙幣結束部によって結束されて、この結束紙幣が前記結束紙幣回収カセットに収納される
ことを特徴とする請求項１〜４のいずれか１項に記載の紙幣処理装置。
【請求項６】
前記紙幣処理装置に前記結束紙幣回収カセットが装着されている場合と、前記紙幣処理装置から前記結束紙幣回収カセットが取り外されている場合とで、前記閾値を変更することを特徴とする請求項５に記載の紙幣処理装置。
【請求項７】
結束紙幣を搬送する結束紙幣搬送路、装置外部から脱着可能に設けられ結束紙幣を収納するための開口部を有し結束紙幣を収納する結束紙幣回収カセット、及び前記結束紙幣搬送路に設けられ前記開口部から前記結束紙幣回収カセットに結束紙幣を収納する収納位置と前記開口部を通過させながら結束紙幣を搬送する搬送位置とを取る開閉機構を有し、装置外部から前記結束紙幣回収カセットを脱着する間も前記開閉機構を前記搬送位置にして前記結束紙幣搬送路で結束紙幣を搬送可能である紙幣処理装置と、
貨幣を収納する複数の貨幣収納部を有する貨幣管理装置と
を含むことを特徴とする紙幣処理システム。
【請求項８】
前記紙幣処理装置から取り外した前記結束紙幣回収カセットを前記貨幣管理装置に装着して保管することを特徴とする請求項７に記載の紙幣処理システム。
【請求項９】
前記貨幣管理装置は、前記結束紙幣回収カセットをロックするロック機構を有し、前記結束紙幣回収カセットをロックして保管することを特徴とする請求項７又は８に記載の紙幣処理システム。
【請求項１０】
前記紙幣処理装置と前記貨幣管理装置とが通信可能に接続され、
前記紙幣処理装置は、前記紙幣処理装置から取り外された前記結束紙幣回収カセットに収納されている結束紙幣に関する情報を前記貨幣管理装置に送信して、
前記貨幣管理装置は、前記結束紙幣回収カセットから取り出して前記貨幣収納部に収納された結束紙幣の情報と、前記紙幣処理装置から受信した結束紙幣に関する情報とを比較して比較結果を報知する
ことを特徴とする請求項７〜９いずれか１項に記載の紙幣処理システム。
【発明の詳細な説明】
【技術分野】
【０００１】
この発明は、紙幣を入出金可能な紙幣処理装置及び該紙幣処理装置を含む紙幣処理システムに関する。
【背景技術】
【０００２】
従来、銀行等の金融機関では、バラ紙幣と、バラ紙幣を結束帯によって結束した結束紙幣とを用いて入金処理や出金処理等の紙幣処理が行われている。バラ紙幣及び結束紙幣の両方を処理する紙幣処理装置として、例えば、特許文献１には、バラ紙幣を入出金する紙幣入出金部と結束紙幣を出金する施封小束支払部を有する現金処理機が開示されている。この装置では、施封小束支払部の収納部に結束紙幣を収納しきれなくなった場合に、超過分の結束紙幣を収納する予備の収納部が設けられている。このように、紙幣処理装置の内部に予備の収納部を設けることにより、紙幣処理中に結束紙幣を収納する収納部が満杯になった場合でも予備の収納部を利用して紙幣処理を継続することができる。
【先行技術文献】
【特許文献】
【０００３】
【特許文献１】特許第４３４１３５３号公報
【発明の概要】
【発明が解決しようとする課題】
【０００４】
しかしながら、上記従来技術によれば、紙幣処理中に、予備として設けた収納部まで満杯になってしまうと、紙幣処理を中断して紙幣の回収を行う必要があった。紙幣処理を中断することを回避するため、装置内の紙幣の収納量が、予め設定された所定の閾値に達した所で紙幣処理装置の利用を休止して紙幣を回収する方法がある。これにより処理途中の紙幣処理を中断することを回避できたとしても、紙幣処理装置の利用を休止している間、紙幣処理を行うことはできない。紙幣処理装置からの紙幣の回収は、大量の紙幣を扱う作業であるため、所定の権限を有する担当者しかこの回収作業を行えない場合がある。このため、担当者を呼んで紙幣の回収作業を行うのに時間がかかる場合があった。また、紙幣処理の開始前には装置内の紙幣の収納量が閾値以下であっても、１回の紙幣処理で大量の紙幣が処理されたために、処理途中で紙幣を収納しきれなくなって紙幣処理が中断される場合があった。
【０００５】
本発明は、上述した従来技術による問題点を解消するためになされたもので、装置内の紙幣の収納量に起因する紙幣処理の中断や装置の利用休止の発生を抑制することができる紙幣処理装置及び該紙幣処理装置を含む紙幣処理システムを提供することを目的とする。
【課題を解決するための手段】
【０００６】
上述した課題を解決し、目的を達成するため、本発明は、紙幣処理装置であって、結束紙幣を搬送する結束紙幣搬送路と、装置外部から脱着可能に設けられ、結束紙幣を収納するための開口部を有し、結束紙幣を収納する結束紙幣回収カセットと、前記結束紙幣搬送路に設けられ、前記開口部から前記結束紙幣回収カセットに結束紙幣を収納する収納位置と前記開口部を通過させながら結束紙幣を搬送する搬送位置とを取る開閉機構とを備え、装置外部から前記結束紙幣回収カセットを脱着する間も前記開閉機構を前記搬送位置にして前記結束紙幣搬送路で結束紙幣を搬送可能であることを特徴とする。
【０００７】
また、本発明は、上記発明において、前記結束紙幣回収カセットは、前記開口部を開放する開放位置と前記開口部を閉鎖する閉鎖位置とを取るカセット開閉機構を有し、前記結束紙幣回収カセットを前記紙幣処理装置に装着すると前記カセット開閉機構が前記開放位置となり、前記結束紙幣回収カセットを前記紙幣処理装置から取り外す際には前記カセット開閉機構が前記閉鎖位置となることを特徴とする。
【０００８】
また、本発明は、上記発明において、結束紙幣の収納及び繰出を行う結束紙幣収納部をさらに備え、前記結束紙幣収納部に収納している結束紙幣の数に基づいて超過分とされた結束紙幣が、前記結束紙幣回収カセットに収納されることを特徴とする。
【０００９】
また、本発明は、上記発明において、バラ紙幣の収納及び繰出を行うバラ紙幣収納部と、所定枚数のバラ紙幣を結束する紙幣結束部とをさらに備え、前記バラ紙幣収納部に収納されたバラ紙幣の収納枚数が予め設定された閾値に達した場合に、前記バラ紙幣収納部から繰り出した所定枚数のバラ紙幣が前記紙幣結束部によって結束されて、この結束紙幣が前記結束紙幣回収カセットに収納されることを特徴とする。
【００１０】
また、本発明は、上記発明において、前記紙幣処理装置に前記結束紙幣回収カセットが装着されている場合と、前記紙幣処理装置から前記結束紙幣回収カセットが取り外されている場合とで、前記閾値を変更することを特徴とする。
【００１１】
また、本発明は、上記発明において、前記結束紙幣収納部へ収納する結束紙幣及び前記結束紙幣収納部から繰り出される結束紙幣が前記開閉機構を通過して前記結束紙幣搬送路を搬送されることを特徴とする。
【００１３】
また、本発明は、紙幣処理システムであって、結束紙幣を搬送する結束紙幣搬送路、装置外部から脱着可能に設けられ結束紙幣を収納するための開口部を有し結束紙幣を収納する結束紙幣回収カセット、及び前記結束紙幣搬送路に設けられ前記開口部から前記結束紙幣回収カセットに結束紙幣を収納する収納位置と前記開口部を通過させながら結束紙幣を搬送する搬送位置とを取る開閉機構を有し、装置外部から前記結束紙幣回収カセットを脱着する間も前記開閉機構を前記搬送位置にして前記結束紙幣搬送路で結束紙幣を搬送可能である紙幣処理装置と、貨幣を収納する複数の貨幣収納部を有する貨幣管理装置とを含むことを特徴とする。
【００１４】
また、本発明は、上記発明において、前記紙幣処理装置から取り外した前記結束紙幣回収カセットを前記貨幣管理装置に装着して保管することを特徴とする。
【００１５】
また、本発明は、上記発明において、前記貨幣管理装置は、前記結束紙幣回収カセットをロックするロック機構を有し、前記結束紙幣回収カセットをロックして保管することを特徴とする。
【００１６】
また、本発明は、上記発明において、前記紙幣処理装置と前記貨幣管理装置とが通信可能に接続され、前記紙幣処理装置は、前記紙幣処理装置から取り外された前記結束紙幣回収カセットに収納されている結束紙幣に関する情報を前記貨幣管理装置に送信して、前記貨幣管理装置は、前記結束紙幣回収カセットから取り出して前記貨幣収納部に収納された結束紙幣の情報と、前記紙幣処理装置から受信した結束紙幣に関する情報とを比較して比較結果を報知することを特徴とする。
【発明の効果】
【００１９】
本発明によれば、紙幣処理装置で超過分となった紙幣を含む結束紙幣を、結束紙幣回収カセットに収納して回収することができる。結束紙幣を搬送する結束紙幣搬送路には開閉機構が設けられており、この開閉機構を、開閉板を開いた収納位置にすることにより、結束紙幣を結束紙幣回収カセットに収納することができる。一方、開閉機構を、開閉板を閉じた搬送位置にして固定することにより、結束紙幣回収カセットを脱着する際や結束紙幣回収カセットが無い状態でも、結束紙幣搬送路で結束紙幣を搬送することができる。これにより、紙幣処理装置での紙幣処理を中断したり紙幣処理装置の利用を休止したりすることなく、結束紙幣回収カセットを紙幣処理装置から取り外して、内部に収納されている結束紙幣を回収して、再び紙幣処理装置に装着する作業を行うことができる。
【００２０】
また、本発明によれば、結束紙幣回収カセット内に結束紙幣を収納するための開口部にカセット開閉機構が設けられており、結束紙幣回収カセットを紙幣処理装置から取り外す際には、開口部から結束紙幣を取り出せないようにカセット開閉機構が自動的に閉鎖位置となる。結束紙幣回収カセットを紙幣処理装置から取り外した際に、内部に収納されている結束紙幣を取り出せない状態とすることで結束紙幣に係るセキュリティを確保することができる。
【００２１】
また、本発明によれば、紙幣処理に利用する結束紙幣を収納する結束紙幣収納部で、収納された結束紙幣の数が所定の閾値に達すると、超過分の結束紙幣を、結束紙幣回収カセットに収納して回収することができる。これにより、結束紙幣収納部が満杯になっても紙幣処理を中断したり紙幣処理装置を休止させたりすることなく、紙幣処理装置を継続して利用することができる。
【００２２】
また、本発明によれば、紙幣処理に利用するバラ紙幣を収納するバラ紙幣収納部で、収納されたバラ紙幣の枚数が所定の閾値に達すると、所定枚数（例えば１００枚）のバラ紙幣から結束紙幣を作成して結束紙幣回収カセットや結束紙幣収納部に収納して、バラ紙幣収納部へのバラ紙幣の収納を続けることができる。これにより、バラ紙幣収納部が満杯になっても紙幣処理を中断したり紙幣処理装置を休止させたりすることなく、紙幣処理を継続することができる。
【００２３】
また、本発明によれば、結束紙幣回収カセットが紙幣処理装置から取り外された際に、バラ紙幣収納部に収納されたバラ紙幣の超過を判定するための閾値を変更して、通常より多くのバラ紙幣を収納できるようにする。これにより、超過分のバラ紙幣から結束紙幣を作成して結束紙幣回収カセットや結束紙幣収納部に搬送する処理が行われにくいようにして、紙幣処理を中断せざるを得ない状況の発生を抑制することができる。
【００２４】
また、本発明によれば、結束紙幣回収カセットが紙幣処理装置から取り外されている状態で超過分のバラ紙幣から結束紙幣が作成された場合には、この結束紙幣を、紙幣処理に利用する結束紙幣が収納される結束紙幣収納部に搬送して収納することができる。これにより、バラ紙幣収納部に収納されたバラ紙幣で超過分のバラ紙幣が発生して結束紙幣が作成された場合も、この結束紙幣を結束紙幣収納部に収納して紙幣処理を継続することができる。
【図面の簡単な説明】
【００２６】
【図１】図１は、本実施形態に係る紙幣処理装置の外観を示す斜視図である。
【図２】図２は、紙幣処理装置の構成の概略を示す概略構成図である。
【図３】図３は、結束紙幣搬送ステージ及び結束紙幣支持機構の動作を説明する模式図である。
【図４】図４は、結束紙幣の搬送及び収納について説明する模式図である。
【図５】図５は、紙幣処理装置の機能構成概略を示すブロック図である。
【図６】図６は、紙幣処理装置に装着した結束紙幣回収カセットをロックする方法を説明する模式図である。
【図７】図７は、結束紙幣回収カセットを利用する紙幣処理システムの例を示す斜視図である。
【図８】図８は、結束紙幣回収カセットを保管するためのクレードルを利用する紙幣処理システムの例を示す斜視図である。
【図９】図９は、紙幣処理装置でバラ紙幣から結束紙幣を作成して結束紙幣回収カセットに収納する処理について説明する模式図である。
【発明を実施するための形態】
【００２７】
以下に、添付図面を参照して、本発明に係る紙幣処理装置及び該紙幣処理装置を含む紙幣処理システムについて詳細に説明する。なお、以下では、所定枚数の紙幣を結束帯によって結束したものを結束紙幣、結束されていない紙幣をバラ紙幣と記載する。
【００２８】
図１は、本実施形態に係る紙幣処理装置１の外観を示す斜視図である。紙幣処理装置１の前面側上部には、出金処理時にバラ紙幣及び結束紙幣を出金するための出金部１６が設けられ、その下側に、入金処理時にバラ紙幣を入金するための入金部１４と、入金処理時に発生したリジェクト紙幣を集積するための入金リジェクト部２４と、出金処理時に発生したリジェクト紙幣を集積するための出金リジェクト部２６とが設けられている。出金部１６が設けられた上部側前面が、入金部１４から下方の構成部が設けられた下部側前面から背面側へ後退した位置にあり、バラ紙幣を入金部１４内部へ載置する作業を容易に行うことができる。
【００２９】
装置前面の一番下には、左側面側を軸支された回動可能な扉６が設けられている。扉６を開くと、内部にある一時保留部３０（図２参照）から紙幣を抜き取ることができる。また、紙幣処理装置１の右側面上部には、脱着可能な結束紙幣回収カセット７０が装着されている。結束紙幣回収カセット７０には取っ手が設けられている。紙幣処理装置１に装着された結束紙幣回収カセット７０は紙幣処理装置１にロックした状態で利用される。所定の権限を有する担当者のみが、このロックを解除して紙幣処理装置１から結束紙幣回収カセット７０を抜き取って、内部に収納されている結束紙幣を回収することができる。
【００３０】
図１に示すように、結束紙幣回収カセット７０は、取っ手が設けられた略直方体のボックス形状を有している。結束紙幣回収カセット７０は、紙幣処理装置１に装着した際に上面となる面に、装置内で結束紙幣を受け入れて収納するための開口部を有し、この開口部にはカセット開閉機構７０ｂが設けられている。カセット開閉機構７０ｂにより、紙幣処理装置１から取り外した状態では開口部を閉鎖して、紙幣処理装置１に装着した状態では開口部を開放するようになっている。また、カセット内で結束紙幣を収納する収納空間は、所定の鍵によって施解錠可能な鍵部７０ｄを有する蓋体７０ｃによって閉鎖されている。所定権限を有する担当者が、鍵部７０ｄの鍵穴に鍵を差して解錠することにより、蓋体７０ｃを開いて収納空間を露出させ、収納空間から結束紙幣を回収したり、紙幣処理装置１に補充する結束紙幣を収納空間に装填したりする作業を容易に行えるようになっている。また、取っ手と反対側の面（図１左側面）、すなわち取っ手を握って結束紙幣回収カセット７０をぶら下げたときに底面となる面に、開口が設けられており、この開口内に、結束紙幣回収カセット７０を紙幣処理装置１等でロックするための構成部が設けられているが詳細は後述する。
【００３１】
出金部１６、入金リジェクト部２４及び出金リジェクト部２６には、それぞれシャッターが設けられている。出金部１６内に出金紙幣を準備した後、出金部１６のシャッターが自動的に横方向にスライドして開いて、内部に収納されている出金紙幣を抜き取ることができる。また、入金処理時にリジェクト紙幣が発生すると、入金リジェクト部２４へ集積された後、入金リジェクト部のシャッターが自動的に装置前面側に開いて、内部のリジェクト紙幣を抜き取ることができる。ただし、入金リジェクト部２４については、シャッターを設けない態様としてもよい。出金リジェクト部２６のシャッターは通常はロックされており、所定の権限を有する担当者がロックを解除した場合にのみ、シャッターを装置前面側に開いて、内部に集積されているリジェクト紙幣を抜き取ることができる。
【００３２】
なお、紙幣処理装置１は、操作表示部を備える別の紙幣処理装置や操作端末等の外部装置と接続して利用される。例えば、外部装置の操作表示部で出金処理を開始する操作を行うと、出金紙幣を出金部１６内に準備して出金部１６のシャッターが自動的に開くようになっている。
【００３３】
図２は、紙幣処理装置１の構成の概略を示す概略構成図である。図２は、右側面側から見た紙幣処理装置１の断面を模式的に示しており、左側が装置前面、右側が装置背面に相当する。
【００３４】
紙幣処理装置１の筐体１１の前面には、上から順に、装置内から紙幣を出金するための出金部１６と、装置内に紙幣を入金するための入金部１４と、入金処理時に入金できないと判定された入金リジェクト紙幣が集積される入金リジェクト部２４と、出金処理時に出金できないと判定された出金リジェクト紙幣が集積される出金リジェクト部２６とが設けられている。
【００３５】
入金部１４には、入金部１４内に載置された紙幣を１枚ずつ装置内へ繰り出す紙幣繰出機構１４ｂが設けられている。装置内に１枚ずつ繰り出された紙幣は、第１搬送部８１によって搬送される。第１搬送部８１は、入金部１４、入金リジェクト部２４、出金リジェクト部２６、一時保留部３０、バラ紙幣一括収納部３２、３つのバラ紙幣金種別収納部３４、紙幣識別部２０、表裏反転部２２及び２つの整理一時保留部（バラ紙幣集積部）４０を接続して、各部の間で１枚ずつバラ紙幣を搬送できるようになっている。
【００３６】
紙幣識別部２０は、第１搬送部８１を搬送されるバラ紙幣の金種、真偽、表裏、正損、新旧、搬送状態等を識別する機能を有する。表裏反転部２２は、バラ紙幣の表裏をそのままの状態で下流側へと導く搬送路と、表裏を反転してから下流側へと導く搬送路とによって形成されており、紙幣識別部２０によって識別された紙幣の表裏情報に基づいて、搬送路下流側へ搬送する紙幣の表裏を揃える機能を有する。
【００３７】
一時保留部３０は、入金処理時に入金されるバラ紙幣を一時的に収納するために利用される。バラ紙幣金種別収納部３４は、入金処理時にバラ紙幣を金種別に収納すると共に、出金処理時には収納しているバラ紙幣を繰り出して出金するために利用される。バラ紙幣金種別収納部３４に収納する紙幣の金種は予め設定されている。バラ紙幣一括収納部３２は、バラ紙幣金種別収納部３４からのバラ紙幣を回収したり、二千円札や損券等、出金処理に利用しない所定の紙幣を収納したりするために利用される。
【００３８】
一時保留部３０、バラ紙幣一括収納部３２及びバラ紙幣金種別収納部３４のそれぞれに、ステージ３０ａ、３２ａ、３４ａと、紙幣繰出繰入機構３０ｂ、３２ｂ、３４ｂとが設けられている。上下に移動可能に設けられたステージ３０ａ、３２ａ、３４ａの位置を上下方向に調整して、第１搬送部８１を搬送されたバラ紙幣を紙幣繰出繰入機構３０ｂ、３２ｂ、３４ｂによって内部に繰り入れて、ステージ３０ａ、３２ａ、３４ａ上に積層状態に集積した状態で収納する。また、一時保留部３０及びバラ紙幣金種別収納部３４では、ステージ３０ａ、３４ａの位置を上下方向に調整して、内部に収納されているバラ紙幣を紙幣繰出繰入機構３０ｂ、３４ｂによって１枚ずつ第１搬送部８１へ繰り出すことができる。
【００３９】
紙幣処理装置１内では、一時保留部３０、バラ紙幣一括収納部３２及びバラ紙幣金種別収納部３４が、図示しない下部ユニット上に設けられており、図１に示す扉６を開いて一番手前にある一時保留部３０からバラ紙幣を取り出せるようになっている。また、扉６を開いた状態で下部ユニットを装置前面側から装置外へ引き出せるようになっている。装置外へ引き出した下部ユニットに対してバラ紙幣一括収納部３２を脱着できるようになっており、バラ紙幣一括収納部３２を利用して、紙幣処理装置１からのバラ紙幣の回収等の作業を行うことができる。
【００４０】
紙幣処理装置１で入金処理を行う場合には、入金部１４にバラ紙幣を載置する。入金部１４から繰り出されたバラ紙幣は、第１搬送部８１によって、紙幣識別部２０へ向けて搬送される。そして、紙幣識別部２０によって入金可能な紙幣であると判定されたバラ紙幣は、必要に応じて表裏反転部２２で表裏を揃えられた後、下方へ折り返して搬送されて、バラ紙幣金種別収納部３４及びバラ紙幣一括収納部３２の上部を通過して、一時保留部３０に収納される。このとき、紙幣識別部２０によって入金できないと判定された入金リジェクト紙幣は、一時保留部３０の上部を通過して入金リジェクト部２４へ向けて搬送される。入金リジェクト紙幣は、入金リジェクト部２４に収納された後、シャッターを開いて返却される。入金部１４の全てのバラ紙幣を識別した後、紙幣処理装置１に接続された別の紙幣処理装置や操作端末等の外部装置の操作表示部に、紙幣識別部２０による識別結果が表示される。識別結果を確認して入金処理を確定する操作がなされると、一時保留部３０へ一時的に収納されていた入金紙幣（バラ紙幣）は１枚ずつ順に繰り出されて上方へ搬送された後、下方へ折り返して紙幣識別部２０へ搬送される。そして、紙幣識別部２０によって金種が確認された後、表裏反転部２２を経て下方へ折り返して搬送されて、対応するバラ紙幣金種別収納部３４に収納される。
【００４１】
なお、入金処理を確定せずにキャンセルする操作がなされた場合には、筐体１１前面下部にある扉６を開いて、一時保留部３０内に収納されているすべてのバラ紙幣を手作業で抜き取って回収する。
【００４２】
図２に示すように、整理一時保留部４０は、第１搬送部８１によって搬送されたバラ紙幣を背面側から受けて内部に積層状態で集積する。整理一時保留部４０は、出金処理時に出金するバラ紙幣の集積と、紙幣結束部４５によって結束するバラ紙幣の集積とに利用される。具体的には、バラ紙幣を出金する場合には、出金するバラ紙幣がバラ紙幣金種別収納部３４から繰り出されて整理一時保留部４０に集積される。また、１００枚のバラ紙幣を結束して結束紙幣を作成して出金する場合には、結束する１００枚のバラ紙幣がバラ紙幣金種別収納部３４から繰り出されて整理一時保留部４０に集積される。
【００４３】
整理一時保留部４０に集積されたバラ紙幣は、装置前面側から第１アーム機構５１によって抜き取られて、紙幣結束部４５又は第２アーム機構５２へ向けて搬送される。第１アーム機構５１は、２つの整理一時保留部４０と、紙幣結束部４５と、第２アーム機構５２との間で、バラ紙幣及び結束紙幣を搬送する第２搬送部８２として機能する。具体的には、整理一時保留部４０から第２アーム機構５２へのバラ紙幣の搬送と、整理一時保留部４０から紙幣結束部４５への所定枚数のバラ紙幣の搬送と、紙幣結束部４５で作成された結束紙幣の第２アーム機構５２への搬送とが第１アーム機構５１によって行われる。
【００４４】
第１アーム機構５１からバラ紙幣又は結束紙幣を受けた第２アーム機構５２は、装置背面側から前面側へ移動して出金部１６へ搬送する。第２アーム機構５２は、第１アーム機構５１と出金部１６との間でバラ紙幣及び結束紙幣を搬送する第３搬送部８３として機能する。
【００４５】
第１アーム機構５１は、上側把持部５１ａ及び下側把持部５１ｂを有しており、上側把持部５１ａと下側把持部５１ｂとの間で紙幣を上下面から挟むように掴んで搬送する。第１アーム機構５１は、上側把持部５１ａ及び下側把持部５１ｂを、装置前面側から整理一時保留部４０の内部に進入させる。第１アーム機構５１は、整理一時保留部４０内に積層状態で集積されている複数枚のバラ紙幣の下方に下側把持部５１ｂを進入させて、バラ紙幣の上方に上側把持部５１ａを進入させて、上側把持部５１ａと下側把持部５１ｂとの間でバラ紙幣を上下面から挟んで掴んだ後、整理一時保留部４０から装置前面側へ後退する。
【００４６】
同様に、第２アーム機構５２は、上側把持部５２ａ及び下側把持部５２ｂとを有しており、上側把持部５２ａと下側把持部５２ｂとの間で紙幣を上下面から挟んで掴んだ状態で搬送する。
【００４７】
具体的には、装置前面側からバラ紙幣を掴んだ第１アーム機構５１が上昇すると、第２アーム機構５２がこれを装置背面側から迎える。第１アーム機構５１が第２アーム機構５２に向かって装置背面側へ移動した後、第２アーム機構５２は、上側把持部５２ａ及び下側把持部５２ｂを制御して、第１アーム機構５１が装置前面側から掴んでいるバラ紙幣を背面側から掴む。第２アーム機構５２が装置背面側からバラ紙幣を掴んだ後、前面側からバラ紙幣を掴んでいる第１アーム機構５１は、上側把持部５１ａ及び下側把持部５１ｂを制御して、掴んでいたバラ紙幣を離す。そして、第１アーム機構５１は、装置前面側へ移動して、上昇してきた位置まで戻った後、下降して第２アーム機構５２の移動経路から退避する。第１アーム機構５１が下方へ退避した後、第２アーム機構５２は装置前面側へ移動してバラ紙幣を出金部１６へ搬送する。
【００４８】
また、第１アーム機構５１は、紙幣結束部４５で結束紙幣を作成する際に、結束対象となる１００枚のバラ紙幣を整理一時保留部４０から抜き取って、紙幣結束部４５内に搬送する機能を有する。具体的には、整理一時保留部４０に集積された１００枚のバラ紙幣を第１アーム機構５１によって掴んで抜き取った後、紙幣結束部４５へ搬送する。
【００４９】
紙幣結束部４５は、図示しない結束帯リールから結束帯を引き出して、この結束帯を、第１アーム機構５１によって掴まれたバラ紙幣の周りに巻回して結束する。バラ紙幣に巻回された結束帯は、溶着して固定された後、結束帯リールから切り離される。こうして、第１アーム機構５１によって掴まれたバラ紙幣から結束紙幣が作成されると、第１アーム機構５１は、作成された結束紙幣を掴んだまま紙幣結束部４５から装置背面側へ後退した後、上方へ搬送する。そして、バラ紙幣の場合と同様に、上昇した第１アーム機構５１と第２アーム機構５２との間で結束紙幣の受け渡しが行われる。第２アーム機構５２は、第１アーム機構５１から受け取った結束紙幣を出金部１６へ搬送する。このように、第１アーム機構５１は、整理一時保留部４０からバラ紙幣を抜き取って紙幣結束部４５へ搬送し、紙幣結束部４５によって結束されて結束紙幣となった後、この結束紙幣を第２アーム機構５２との間で受け渡すまで、紙幣を掴んだ状態のままで移動する。
【００５０】
出金部１６では、バラ紙幣又は結束紙幣を掴んで移動してきた第２アーム機構５２の上側把持部５２ａ及び下側把持部５２ｂが出金部１６の内部へ進入して、上側把持部５２ａ及び下側把持部５２ｂで掴んでいた紙幣を離す。紙幣を離した第２アーム機構５２は、出金部１６から後退して背面側へ移動する。
【００５１】
このように、第１アーム機構５１及び第２アーム機構５２は、上下の把持部によって紙幣を表面側及び裏面側から掴んで搬送するため、１枚のバラ紙幣を搬送することもできるし、束状態の複数枚のバラ紙幣を搬送することもできるし、結束紙幣を搬送することもできる。これにより、紙幣処理装置１では、第１アーム機構５１及び第２アーム機構を利用して、バラ紙幣金種別収納部３４から繰り出したバラ紙幣を出金することもできるし、バラ紙幣金種別収納部３４から繰り出したバラ紙幣から結束紙幣を作成して出金することもできる。
【００５２】
また、紙幣処理装置１内には２つの整理一時保留部４０が設けられているため、一方の整理一時保留部４０で第１アーム機構５１によってバラ紙幣を抜き取りながら、他方の整理一時保留部４０へ第１搬送部８１によって搬送したバラ紙幣を集積することができる。また、第１アーム機構５１と第２アーム機構５２との間で紙幣を受け渡した後、第１アーム機構５１が整理一時保留部４０へと戻る間に、第２アーム機構５２が第１アーム機構５１から受けた紙幣を出金部１６へ搬送することができるので紙幣処理を効率よく進めることができる。
【００５３】
出金部１６は、第２アーム機構５２によって搬送されたバラ紙幣及び結束紙幣を出金する機能を有する。出金部１６の内部には、結束紙幣を上方へ搬送するための結束紙幣搬送ステージ５３と、出金する結束紙幣を下方から支持するための結束紙幣支持機構５４とが設けられている。結束紙幣を上方へと搬送する結束紙幣搬送ステージ５３が、第４搬送部８４として機能する。
【００５４】
第２アーム機構５２によって搬送された結束紙幣、すなわち紙幣結束部４５で作成された結束紙幣を出金部１６から出金する際には、結束紙幣搬送ステージ５３は、結束紙幣が結束紙幣支持機構５４によって支持されるように、結束紙幣を上方へ搬送する。
【００５５】
また、紙幣結束部４５で作成した結束紙幣を、装置内上部に設けられた結束紙幣回収カセット７０又は結束紙幣金種別収納部７２へ搬送して収納する際には、結束紙幣搬送ステージ５３は、上部にある結束紙幣搬送路７５へ向けて結束紙幣を搬送する。
【００５６】
結束紙幣支持機構５４は、結束紙幣を下方から支持する支持位置と、結束紙幣を上方へ搬送する結束紙幣搬送ステージ５３が通過する際に、結束紙幣及び結束紙幣搬送ステージ５３の通過を妨げないように退避した退避位置とを取るように移動可能に設けられている。
【００５７】
図３は、結束紙幣搬送ステージ５３及び結束紙幣支持機構５４の動作を説明する模式図である。図３（ａ）に示すように、結束紙幣支持機構５４は、回転軸周りに回動可能に支持された複数の爪部材５４によって構成される。爪部材５４は、図３（ａ）に示す退避位置と、同図（ｂ）に示す支持位置との間で回動可能に設けられている。図３（ｃ）は、同図（ａ）の状態を紙幣の短手側から見た図を示している。図３（ｄ）は、出金する結束紙幣１０１及びバラ紙幣１０２を出金部１６内に準備した状態を示している。
【００５８】
爪部材５４は、図示しないバネ部材によって、図３（ｂ）及び（ｄ）に示すように上面が略水平となる支持位置に付勢されており、この位置より下方へは回動しないようになっている。結束紙幣１０１を搬送する結束紙幣搬送ステージ５３が上方へ通過する際には、図３（ｃ）に示すように、上昇する結束紙幣１０１によって、バネ部材による付勢に逆らって爪部材５４が押し上げられて、同図（ａ）に示す退避位置へ移動する。そして、結束紙幣１０１が通過した後、爪部材５４は、バネ部材による付勢によって再び図３（ｂ）に示す支持位置へ戻る。
【００５９】
結束紙幣搬送ステージ５３には、図３（ａ）に示すように、各爪部材５４に対応する位置に切り欠き５３ａが形成されており、爪部材５４が支持位置にあるときも結束紙幣搬送ステージ５３は下方へ移動することができる。このため、結束紙幣搬送ステージ５３が、図３（ａ）に示す退避位置に回動した爪部材５４を超える高さまで一旦上昇して下降する際には、爪部材５４の上に結束紙幣１０１を残して結束紙幣搬送ステージ５３のみが下降する。この結果、図３（ｂ）及び（ｄ）に示すように、結束紙幣１０１が爪部材５４によって支持された状態となる。
【００６０】
このように、第２アーム機構５２によって搬送された結束紙幣１０１を出金する際には、結束紙幣１０１を爪部材５４によって支持された状態で出金する。また、図３（ｃ）に示すように、結束紙幣１０１が載置された結束紙幣搬送ステージ５３を、先に爪部材５４によって支持されている結束紙幣１０１及び爪部材５４を下方から押し上げながら上昇させて下降する動作を繰り返すことにより、爪部材５４上に複数の結束紙幣１０１を積層して出金することもできる。
【００６１】
なお、第２アーム機構５２によって搬送されたバラ紙幣１０２を出金する際には、図３（ｄ）に示すように、結束紙幣搬送ステージ５３が上方へ退避した状態で、第２アーム機構５２が結束紙幣搬送ステージ５３の下側でバラ紙幣１０２を離す。バラ紙幣は、結束紙幣搬送ステージ５３の下側で、出金部１６の底面上に載置された状態で出金される。
【００６２】
出金部１６では、底面に載置されたバラ紙幣１０２と、結束紙幣支持機構５４によって支持された結束紙幣１０１との両方を同時に出金することができる。複数枚のバラ紙幣１０２を出金することが可能であり、複数の結束紙幣１０１を出金することもできる。結束紙幣１０１及びバラ紙幣１０２の両方を出金する際には、図３（ｄ）に示すように、結束紙幣１０１を結束紙幣支持機構５４（爪部材）の上に積層して、結束紙幣支持機構５４の下方で結束紙幣搬送ステージ５３の下側にバラ紙幣１０２を積層する。こうして、出金する結束紙幣１０１及びバラ紙幣１０２の全てを出金部１６内に準備した後、出金部１６のシャッターが自動的に開く。シャッターが開いた出金部１６では、図３（ｄ）に示す結束紙幣支持機構５４より上側の開口部１６ａから結束紙幣１０１を取り出し、結束紙幣支持機構５４より下側の開口部１６ｂからバラ紙幣１０２を取り出すことができる。また、シャッターが開いた際には、開口部１６ａ、１６ｂから結束紙幣１０１及びバラ紙幣１０２の両方を視認可能であるため、結束紙幣１０１又はバラ紙幣１０２の取り忘れを防止することができる。
【００６３】
図２に示すように、紙幣処理装置１の筐体１１内上方には、結束紙幣回収カセット７０及び結束紙幣金種別収納部７２に収納する結束紙幣の最下面の紙幣を撮像して結束紙幣の金種を識別する結束紙幣識別部６０と、結束紙幣回収カセット７０と、３つの結束紙幣金種別収納部７２とが設けられている。なお、結束紙幣回収カセット７０は、図１に示したように、装置右側面側から抜き取れるようになっている。
【００６４】
紙幣処理装置１では、紙幣結束部４５で結束した結束紙幣を、第１アーム機構５１及び第２アーム機構５２によって出金部１６へ搬送した後、結束紙幣搬送ステージ５３に載置して上方へ搬送し、結束紙幣回収カセット７０又は結束紙幣金種別収納部７２へ収納できるようになっている。
【００６５】
具体的には、結束紙幣搬送ステージ５３は、結束紙幣が載置される載置面が、装置上方で結束紙幣を搬送する結束紙幣搬送路７５の搬送面と同一平面となる位置まで上昇移動できるようになっており、結束紙幣搬送路７５の搬送面まで持ち上げた結束紙幣を結束紙幣搬送機構５５によって搬送することができる。結束紙幣搬送路７５及び結束紙幣搬送機構５５が、結束紙幣を搬送する第５搬送部８５（図５参照）として機能する。
【００６６】
結束紙幣搬送機構５５は、図２に示すように、一対のプーリ５５ａと、プーリ５５ａに掛け渡された２本の結束紙幣搬送ベルト５５ｂと、結束紙幣搬送ベルト５５ｂに所定間隔で設けられた複数の搬送突起５５ｃとによって形成されている。結束紙幣搬送ステージ５３によって、結束紙幣搬送路７５の搬送面まで持ち上げられた結束紙幣は、プーリ５５ａによって反時計回りに駆動される結束紙幣搬送ベルト５５ｂの搬送突起５５ｃによって、後方（装置前面側）から押されて装置背面側へ搬送される。そして、結束紙幣識別部６０によって金種を判定された後、金種に応じて、対応する結束紙幣金種別収納部７２に収納される。
【００６７】
結束紙幣搬送路７５には、結束紙幣回収カセット７０と、３つの結束紙幣金種別収納部７２とに対応して、開閉機構７５ａが設けられている。開閉機構７５ａは、搬送位置と収納繰出位置の２つの位置を取る。搬送位置とは、開閉機構７５ａを構成する開閉板によって結束紙幣搬送路７５の搬送面の一部を形成して、結束紙幣を通過させる位置である。収納繰出位置とは、結束紙幣搬送路７５を構成する開閉板を搬送路の外側へ退避させて、結束紙幣回収カセット７０及び結束紙幣金種別収納部７２への結束紙幣の収納と、結束紙幣回収カセット７０及び結束紙幣金種別収納部７２からの結束紙幣の繰り出しとを行う位置である。すなわち、収納繰出位置は、結束紙幣搬送路７５を搬送される結束紙幣を結束紙幣回収カセット７０及び結束紙幣金種別収納部７２へ収納する収納位置であり、結束紙幣回収カセット７０及び結束紙幣金種別収納部７２に収納されている結束紙幣を結束紙幣搬送路７５へ繰り出す繰出位置でもある。
【００６８】
また、結束紙幣回収カセット７０には、開閉機構７５ａに対応して、カセット開閉機構７０ｂが設けられている。カセット開閉機構７０ｂは、開放位置と閉鎖位置の２つの位置を取る。開放位置とは、カセット開閉機構７０ｂを構成するシャッターを開いて、結束紙幣搬送路７５から落下させた結束紙幣の結束紙幣回収カセット７０内部への収納と、内部に収納されている結束紙幣の結束紙幣搬送路７５への繰り出しとを行う位置である。閉鎖位置とは、結束紙幣回収カセット７０から結束紙幣を取り出せないように、カセット開閉機構７０ｂを構成するシャッターを閉じて閉鎖する位置である。
【００６９】
カセット開閉機構７０ｂは、結束紙幣回収カセット７０を紙幣処理装置１にセットしてロックしたときにはシャッターを開いた開放位置となり、結束紙幣回収カセット７０のロックを解除して紙幣処理装置１から抜き取るときにはシャッターを閉じた閉鎖位置となる。これにより、紙幣処理装置１に結束紙幣回収カセット７０をセットして利用する際には、紙幣処理装置１にロックして、カセット開閉機構７０ｂを開放位置にしてシャッターが開いた結束紙幣回収カセット７０を、結束紙幣金種別収納部７２と同様に利用することができる。また、紙幣処理装置１から結束紙幣を回収するために、結束紙幣回収カセット７０のロックを解除して紙幣処理装置１の右側面側から抜き取る際には、カセット開閉機構７０ｂを閉鎖位置にしてシャッターを閉じて、内部に収納されている結束紙幣を抜き取れないようにすることにより、結束紙幣に係るセキュリティを確保することができる。
【００７０】
結束紙幣回収カセット７０及び結束紙幣金種別収納部７２には、上下に移動可能なステージ７０ａ、７２ａが設けられている。ステージ７０ａ、７２ａの位置を上下方向に調整することにより、開閉機構７５ａを収納繰出位置にして結束紙幣搬送路７５から落下させた結束紙幣を受けて、ステージ７０ａ、７２ａ上に積層状態で集積する。また、結束紙幣搬送路７５の開閉機構７５ａを収納繰出位置にした状態で、ステージ７０ａ、７２ａを上昇させることにより、内部に収納されている結束紙幣を１つずつ結束紙幣搬送路７５へ繰り出せるようになっている。
【００７１】
図４は、結束紙幣１０３の搬送及び収納について説明する模式図である。結束紙幣搬送路７５上の結束紙幣１０３を、結束紙幣回収カセット７０及び結束紙幣金種別収納部７２の上部を通過させて搬送する場合には、図４（ａ）に示すように、通過する位置にある開閉機構７５ａを搬送位置にして、結束紙幣１０３を通過させる。
【００７２】
一方、結束紙幣１０３を、結束紙幣回収カセット７０又は結束紙幣金種別収納部７２に収納する場合には、図２に示すステージ７０ａ、７２ａが、収納する結束紙幣１０３を受け取る高さまで上昇して停止する。そして、図４（ｂ）に示すように、開閉機構７５ａを収納繰出位置にして、結束紙幣１０３をステージ７０ａ、７２ａ上に落下させて収納する。結束紙幣１０３の収納が終了すると、結束紙幣搬送路７５から落下した結束紙幣１０３を受けたステージ７０ａ、７２ａは下方へ退避して、開閉機構７５ａは図４（ａ）に示す搬送位置へ戻る。
【００７３】
結束紙幣回収カセット７０及び結束紙幣金種別収納部７２から結束紙幣１０３を繰り出す際には、図４（ｂ）に示すように、開閉機構７５ａを収納繰出位置にする。そして、ステージ７０ａ、７２ａ上に積層状態で集積されている結束紙幣のうち一番上にある結束紙幣を結束紙幣搬送路７５上に送り出せる高さまでステージ７０ａ、７２ａが上昇して停止する。結束紙幣は、時計回りに駆動される結束紙幣搬送ベルト５５ｂの搬送突起５５ｃによって後方（装置背面側）から押されて搬送される。結束紙幣金種別収納部７２から繰り出した結束紙幣は、結束紙幣回収カセット７０へ収納することもできるし、出金部１６から出金することもできる。
【００７４】
結束紙幣金種別収納部７２に収納している結束紙幣の数が所定数を超えると、超えた分の結束紙幣が、結束紙幣金種別収納部７２から繰り出されて結束紙幣回収カセット７０へ収納されるようになっている。また、バラ紙幣金種別収納部３４に収納するバラ紙幣の枚数が予め設定された所定枚数を超えると、超過分のバラ紙幣を含む所定枚数（例えば１００枚）のバラ紙幣から結束紙幣を作成して、結束紙幣金種別収納部７２又は結束紙幣回収カセット７０に収納するようになっている。そして、結束紙幣回収カセット７０を紙幣処理装置１の右側面側から抜き取ることによって、結束紙幣を回収することができる。なお、超過分として結束するバラ紙幣の枚数（作成する結束紙幣の数）は設定により変更できるようになっている。
【００７５】
なお、結束紙幣回収カセット７０によって結束紙幣を回収する際には、結束紙幣回収カセット７０に対応する結束紙幣搬送路７５の開閉機構７５ａが図４（ａ）に示す搬送位置となる。そして、結束紙幣回収カセット７０が再び紙幣処理装置１にセットされて結束紙幣を結束紙幣回収カセット７０へ収納するまでの間、同図（ｂ）に示す収納繰出位置となることはなく、搬送位置で固定される。これにより、紙幣処理装置１では、結束紙幣回収カセット７０を脱着する間も結束紙幣回収カセット７０がない状態でも紙幣処理を行うことができる。
【００７６】
結束紙幣金種別収納部７２に収納されている結束紙幣を出金部１６から出金する際には、結束紙幣搬送ステージ５３が、結束紙幣を受け取る高さまで上昇して停止する。そして、結束紙幣搬送機構５５によって結束紙幣搬送路７５を搬送した結束紙幣を、結束紙幣搬送ステージ５３上に落下させる。結束紙幣搬送路７５から落下した結束紙幣を受けた結束紙幣搬送ステージ５３は、結束紙幣支持機構（爪部材）５４の下側まで下降する。こうして、図３（ｂ）に示すように、結束紙幣を出金部１６から出金可能な状態とする。複数の結束紙幣を出金する場合には、結束紙幣搬送ステージ５３が徐々に下降しながら、結束紙幣搬送路７５を１つずつ搬送される結束紙幣を順に受け取る。そして、全ての結束紙幣を受け取った後、結束紙幣搬送ステージ５３は、結束紙幣支持機構（爪部材）５４の下側まで下降する。
【００７７】
図４（ｃ）は、同図（ａ）に示す状態を、上方から見た図を示している。結束紙幣搬送路７５を搬送される結束紙幣１０３は、２本の結束紙幣搬送ベルト５５ｂのそれぞれに設けられた搬送突起５５ｃによって、長手の離れた位置を搬送方向後方側から押されて搬送される。
【００７８】
図５は、紙幣処理装置１の機能構成概略を示すブロック図である。制御部１０には、入金部１４と、出金部１６と、入金リジェクト部２４と、出金リジェクト部２６と、第１搬送部８１、第１アーム機構５１、第２アーム機構５２、結束紙幣搬送ステージ５３、結束紙幣搬送機構５５及び結束紙幣搬送路７５を含む搬送部８０と、表裏反転部２２と、紙幣識別部２０と、結束紙幣識別部６０と、一時保留部３０と、整理一時保留部４０と、バラ紙幣一括収納部３２と、バラ紙幣金種別収納部３４と、紙幣結束部４５と、結束紙幣回収カセット７０と、結束紙幣金種別収納部７２と、ＬＡＮ等のネットワークを利用するための通信インターフェイス９０とが接続されている。また、制御部１０には、紙幣処理装置１に装着された結束紙幣回収カセット７０をロックするロック機構１３０が接続されているが、ロック機構の詳細は後述する。制御部１０が、これら各部の機能及び動作を制御することにより、本実施形態で説明するバラ紙幣の搬送、識別、収納、繰出及び結束と、結束紙幣の搬送、識別、収納及び繰出とを含む各処理を実現している。
【００７９】
また、通信インターフェイス９０を介して、紙幣処理装置１とは別に設けられた紙幣処理装置や操作端末等の外部装置と紙幣処理装置１とを接続することにより、制御部１０は、外部装置からの指示を受けて各部の制御を行うことができる。また、紙幣識別部２０及び結束紙幣識別部６０による識別計数結果や各部の動作状況を、制御部１０から外部装置へ送信することも可能となっている。
【００８０】
紙幣処理装置１は、装置内でバラ紙幣及び結束紙幣を搬送する搬送部８０として、バラ紙幣のみを１枚ずつ搬送するバラ紙幣搬送部８０ａと、１枚又は複数枚のバラ紙幣と結束紙幣との両方を搬送することができるバラ紙幣・結束紙幣搬送部８０ｂと、結束紙幣のみを１つずつ搬送する結束紙幣搬送部８０ｃとを有している。
【００８１】
バラ紙幣・結束紙幣搬送部８０ｂは、図２に示すように、整理一時保留部４０に集積された１枚又は複数枚のバラ紙幣と紙幣結束部４５で作成された結束紙幣とを第１アーム機構５１によって上方へ搬送する第２搬送部８２と、第１アーム機構５１との間で受け渡されたバラ紙幣及び結束紙幣を第２アーム機構５２によって出金部１６へ向けて搬送する第３搬送部８３とを含んでいる。
【００８２】
結束紙幣搬送部８０ｃは、第２アーム機構５２から受けた結束紙幣を結束紙幣搬送ステージ５３によって上方へ搬送する第４搬送部８４と、結束紙幣搬送ステージ５３と結束紙幣回収カセット７０及び結束紙幣金種別収納部７２との間で、結束紙幣搬送機構５５及び結束紙幣搬送路７５によって結束紙幣を搬送する第５搬送部８５とを含んでいる。
【００８３】
次に、結束紙幣回収カセット７０の機能及び動作について説明する。図６は、紙幣処理装置１に装着した結束紙幣回収カセット７０をロックする方法を説明する模式図である。図６では、装置前面側から見た紙幣処理装置１及び結束紙幣回収カセット７０内部構造を模式的に示している。図６（ａ）は結束紙幣回収カセット７０を紙幣処理装置１から取り外した状態を示し、同図（ｂ）は結束紙幣回収カセット７０を紙幣処理装置１に装着してロックした状態を示している。
【００８４】
結束紙幣回収カセット７０には、結束紙幣を収納する収納空間内で結束紙幣を下方から支持するステージ７０ａと、収納空間へ結束紙幣を収納するための開口部を開閉するカセット開閉機構７０ｂと、結束紙幣回収カセット７０に対して固定された遮光板７０ｅ及びロック板７０ｆが設けられている。
【００８５】
カセット開閉機構７０ｂは、折り曲げ可能なシャッターによって構成されている。シャッターの側方（図面奥行方向）両端をシャッターガイドによって支持した状態でシャッターの移動を制御することにより、図６（ａ）に示すように開口部を閉鎖する閉鎖位置と、同図（ｂ）に示すように開口部を開放する開放位置との間でシャッターを移動できるようになっている。なお、ステージ７０ａ及びカセット開閉機構７０ｂは図示しない駆動機構によって駆動される。
【００８６】
図６（ａ）に示すように、結束紙幣回収カセット７０が紙幣処理装置１から取り外されている間は、カセット開閉機構７０ｂを構成するシャッターが閉鎖位置で固定され、結束紙幣回収カセット７０内に収納されている結束紙幣を開口部から取り出せないようになっている。また、紙幣処理装置１では、結束紙幣回収カセット７０が取り外されている間は、結束紙幣回収カセット７０に対応する結束紙幣搬送路７５の開閉機構７５ａが、図６（ａ）に示す搬送位置で固定される。開閉機構７５ａ上を通過させながら結束紙幣１０４を搬送することができるので、結束紙幣回収カセット７０を着脱する作業を行っている間も結束紙幣回収カセット７０を取り外している間も紙幣処理を行うことが可能であり、紙幣処理装置１を休止状態とする必要がない。
【００８７】
紙幣処理装置１には、結束紙幣回収カセット７０の有無を検知するカセット検知センサ１２０が設けられている。カセット検知センサ１２０は、投光部と受光部との間で投受光する検知光によって結束紙幣回収カセット７０の有無を検知する。また、紙幣処理装置１には、結束紙幣回収カセット７０を固定するためのロック機構１３０（１３０ａ〜１３０ｄ）が設けられている。ロック機構１３０は、回転軸１３０ｂに回動可能に支持されたロックアーム１３０ａと、ロックアーム１３０ａをロック位置へ付勢するバネ部材１３０ｃと、バネ部材１３０ｃによる付勢に逆らってロックアーム１３０ａを時計回りに強制的に回動させてロック解除位置とするためのロックアーム駆動部１３０ｄとを有している。
【００８８】
紙幣処理装置１に結束紙幣回収カセット７０を装着する際には、結束紙幣回収カセット７０のロック板７０ｆがロックアーム１３０ａの前方（図６右側）に接触する。ロックアームの前方側は曲面形状になっており、結束紙幣回収カセット７０を押し込む際には、ロック板７０ｆの移動に合わせてロックアーム１３０ａが、図６（ａ）に示すロック位置から時計回りに回動するようになっている。そして、ロック板７０ｆが、回動したロックアーム１３０ａの曲面部を通過すると、ロックアーム１３０ａは、バネ部材１３０ｃによる付勢によって反時計回りに回動して元のロック位置へ戻る。
【００８９】
この結果、図６（ｂ）に示すように、紙幣処理装置１に回転軸１３０ｂが固定されたロックアーム１３０ａと、結束紙幣回収カセット７０に固定されたロック板７０ｆとが係合した状態となり、紙幣処理装置１内で結束紙幣回収カセット７０がロックされる。
【００９０】
また、結束紙幣回収カセット７０を紙幣処理装置１に装着すると、結束紙幣回収カセット７０の遮光板７０ｅが、カセット検知センサ１２０の投光部と受光部との間で検知光を遮光する。検知光の遮光によって結束紙幣回収カセット７０の装着が検知されると、カセット開閉機構７０ｂが制御され、カセット開閉機構７０ｂを構成するシャッターが、図６（ａ）に示す閉鎖位置から同図（ｂ）に示す開放位置に移動する。これにより、結束紙幣搬送路７５の開閉機構７５ａが図６（ｂ）に示す収納繰出位置となった際には、開放された開口部から結束紙幣回収カセット７０内に結束紙幣１０４を収納することができる。なお、図６（ｂ）には示していないが、開閉機構７５ａが開く際には、先に上昇させたステージ７０ａが、開口部から落下する結束紙幣１０４を受け止めることにより、結束紙幣回収カセット７０内では整列した積層状態で結束紙幣が収納されるようになっている。
【００９１】
結束紙幣の回収等を行うために結束紙幣回収カセット７０を紙幣処理装置１から取り外す場合には、紙幣処理装置１に接続された別の紙幣処理装置や操作端末等の外部装置の操作表示部で、結束紙幣回収カセット７０を取り外すための操作が行われる。この操作を受けて、紙幣処理装置１では、ロックアーム駆動部１３０ｄが制御され、ロックアーム１３０ａを時計回りに回動してロック解除位置へ移動させる。また、カセット開閉機構７０ｂが制御され、カセット開閉機構７０ｂを構成するシャッターが、図６（ａ）に示す閉鎖位置へ移動して、開口部を閉鎖した状態で固定される。また、結束紙幣回収カセット７０に対応して設けられた結束紙幣搬送路７５の開閉機構７５ａが、図６（ａ）に示す搬送位置で固定される。
【００９２】
こうして、結束紙幣回収カセット７０のロックが解除されると、結束紙幣回収カセット７０を紙幣処理装置１の右側面から抜き取ることができる。カセット検知センサ１２０によって、結束紙幣回収カセット７０が抜き取られたことが検知されるとロックアーム駆動部１３０ｄによるロックアーム１３０ａの駆動が解除され、バネ部材１３０ｃによる付勢によってロックアーム１３０ａが回動し、再びロック位置へ戻る。
【００９３】
紙幣処理装置１では、結束紙幣回収カセット７０に対応して設けられた開閉機構７５ａが搬送位置で固定されるので、結束紙幣回収カセット７０を取り外す際にも、その後も、紙幣処理を継続して行うことができる。また、紙幣処理装置１から取り外した結束紙幣回収カセット７０では、内部に収納されている結束紙幣を取り出すことができないように、カセット開閉機構７０ｂによって開口部が閉鎖されているので、結束紙幣に係るセキュリティを確保することができる。
【００９４】
紙幣処理装置１から結束紙幣を回収するために、内部に結束紙幣が収納された状態で紙幣処理装置１から抜き取った結束紙幣回収カセット７０では、鍵部７０ｄの鍵穴に鍵を差して解錠して蓋体７０ｃを開き、内部に収納されている結束紙幣を回収する作業が行われる。なお、このとき、予め空の結束紙幣回収カセット７０を準備しておけば、抜き取った結束紙幣回収カセット７０に代えて、空の結束紙幣回収カセット７０を紙幣処理装置１に装着して通常通り紙幣処理装置１を利用することができる。
【００９５】
結束紙幣回収カセット７０から結束紙幣を回収する作業をすぐに行えない場合には、結束紙幣回収カセット７０を、セキュリティを確保した状態で保管する。図７及び図８を参照しながら結束紙幣回収カセット７０の保管方法について説明する。
【００９６】
図７は、結束紙幣回収カセット７０を利用する紙幣処理システムの例を示す斜視図である。この例では、紙幣処理システムは、紙幣処理装置１と、現金バスと呼ばれる貨幣管理装置２を含んでいる。紙幣処理装置１と貨幣管理装置２との間は、図７に破線で示したように、通信インターフェイス９０によって通信可能に接続されている。
【００９７】
貨幣管理装置２は、バラ紙幣、結束紙幣、棒金と呼ばれる包装硬貨等の貨幣を収納する複数のドロア２１１〜２１４（貨幣収納部）と、有価証券等を収納するドロア２１５と、貨幣管理装置２の全体を制御する制御部２２５と、各種情報を入力するための操作部２２６と、各種情報を出力表示するための表示部２２７と、貨幣管理装置２を利用する利用者を特定するために利用者が所持するＩＤカードの内容を読み取るＩＤカードリーダ２２８とを含んでいる。貨幣管理装置２には大量の貨幣が収納されているため、ＩＤカードを利用して利用者の認証が行われるようになっている。なお、これら各部を利用して行われる貨幣管理装置２の動作については特開２０１１−１０７７５３号公報に開示しているため説明を省略し、本実施形態の説明に必要な機能及び動作について説明する。また、本実施形態では、紙幣処理装置１から結束紙幣回収カセット７０を取り外す際や、結束紙幣回収カセット７０から結束紙幣を取り出して貨幣管理装置２へ収納する際には認証処理が行われるが、これについても説明を省略する。
【００９８】
貨幣管理装置２では、ドロア２１１〜２１４の下方に結束紙幣回収カセット７０用の収納スペースが設けられている。図７に示すように、このスペースに結束紙幣回収カセット７０を挿入して貨幣管理装置２で保管することができる。貨幣管理装置２の内部には、図６に示したカセット検知センサ１２０及びロック機構１３０と同一構造のカセット検知センサ及びロック機構が設けられており、貨幣管理装置２に設けられたスペースに結束紙幣回収カセット７０をスライドさせながら押し込むと、ロック機構によって結束紙幣回収カセット７０がロックされるようになっている。なお、貨幣管理装置２が備えるロック機構の構造は特に限定されず、結束紙幣回収カセット７０を貨幣管理装置２に挿入した際にこれをロックすることができれば、図６に示したロック機構とは異なる構造であっても構わない。
【００９９】
カセット検知センサによって結束紙幣回収カセット７０の脱着を検知することができるので、貨幣管理装置２では、カセット検知センサによる検知信号に基づいて、結束紙幣回収カセット７０が貨幣管理装置２に脱着された日時の記録等の処理を行うことができる。
【０１００】
貨幣管理装置２で保管されていた結束紙幣回収カセット７０を取り外す際には、操作部２２６を操作することにより貨幣管理装置２に設けられたロック機構を制御して、結束紙幣回収カセット７０のロックを解除する。ロックを解除すると、貨幣管理装置２から結束紙幣回収カセット７０を引き抜くことができる。
【０１０１】
このように、紙幣処理装置１から取り外した結束紙幣回収カセット７０を貨幣管理装置２に装着してロックすることによりセキュリティを確保した状態で結束紙幣回収カセット７０を保管することができる。
【０１０２】
また、紙幣処理システムでは、紙幣処理装置１と貨幣管理装置２との間で連携して処理を行うことも可能となっている。紙幣処理装置１では、結束紙幣回収カセット７０に収納される結束紙幣の金種及び数が管理されている。紙幣処理装置１から結束紙幣回収カセット７０が取り外されると、取り外した結束紙幣回収カセット７０に収納されている結束紙幣の数及び金種を示す情報が、紙幣処理装置１から貨幣管理装置２へ送信される。なお、結束紙幣回収カセット７０に収納される結束紙幣の金種及び数の管理と、貨幣管理装置２への関連情報の送信とについては、これらの処理を紙幣処理装置１によって行う態様の他、紙幣処理装置１に接続された別の紙幣処理装置や操作端末等の外部装置によって行う態様であっても構わない。
【０１０３】
貨幣管理装置２では、紙幣処理装置１から結束紙幣回収カセット７０を取り外してすぐに、又は結束紙幣回収カセット７０を図７に示すように一旦貨幣管理装置２に収納して保管した後に、結束紙幣回収カセット７０に収納されている結束紙幣を取り出して貨幣管理装置２の対応するドロア２１１〜２１４に収納する作業が行われる。
【０１０４】
この作業を行う担当者は、貨幣管理装置２の操作部２２６を操作して、この作業が、結束紙幣回収カセット７０から回収した結束紙幣を貨幣管理装置２に収納するものであることを示す情報を入力すると共に、この作業で貨幣管理装置２に収納した結束紙幣の金種及び数を入力する。
【０１０５】
貨幣管理装置２では、各ドロア２１１〜２１４の開閉を検知できるようになっており、各ドロア２１１〜２１４には貨幣の重量を測定するためのロードセルが設けられている。また、貨幣管理装置２では、各ドロア２１１〜２１４に収納する貨幣の金種は予め設定されており、開閉されたドロア２１１〜２１４内の貨幣の重量の変化に基づいて、収納された貨幣及び取り出された貨幣の量を検出できるようになっている。結束紙幣回収カセット７０から取り出した結束紙幣をドロア２１１〜２１４に収納する作業時にも、収納された結束紙幣の金種及び数が検出される。
【０１０６】
貨幣管理装置２では、担当者による操作部２２６での操作に基づいて、結束紙幣回収カセット７０から回収した結束紙幣が対応する各ドロア２１１〜２１４に収納されたことを認識すると、先に紙幣処理装置１から受信していた結束紙幣回収カセット７０内の結束紙幣の数及び金種を示す情報と、担当者が操作部２２６を操作して入力した結束紙幣の数及び金種と、各ドロア２１１〜２１４のロードセルを利用して重量の変化から検出した結束紙幣の数及び金種とをそれぞれ比較する。そして、比較結果を、表示部２２７への情報表示や音声等によって報知する。比較結果が一致しなかった場合には、担当者は、報知された情報を確認して結束紙幣の数や金種を再確認する作業を行うことができる。ただし、担当者による結束紙幣の数及び金種の入力と、ロードセルを利用した結束紙幣の数及び金種の検知とは、いずれか一方のみを行う態様であってもよい。
【０１０７】
また、貨幣管理装置２では、この他にも結束紙幣回収カセット７０に関する監視を行うことができる。具体的には、紙幣処理装置１から、結束紙幣回収カセット７０に関する情報を受信してから所定時間が経過しても、結束紙幣回収カセット７０が貨幣管理装置２の所定の収納スペースに装着されない場合に、これを利用者に報知して確認を促すことができる。また、結束紙幣回収カセット７０を貨幣管理装置２に装着して保管を開始してから所定時間が経過しても、結束紙幣回収カセット７０を取り外して結束紙幣をドロア２１１〜２１４に収納する作業が行われない場合に、これを利用者に報知して確認を促すことができる。これにより、結束紙幣が収納されている結束紙幣回収カセット７０が、紙幣処理装置１から取り外された状態で放置されたり、貨幣管理装置２に装着して保管されたまま放置されたりすることを回避することができる。
【０１０８】
なお、複数個の結束紙幣回収カセット７０を用する場合には、各カセットを識別するための識別情報を示すバーコードを結束紙幣回収カセット７０上に貼り付けて、各カセットを区別する。例えば、紙幣処理装置１に接続された外部装置や貨幣管理装置２にバーコードリーダを接続して、結束紙幣回収カセット７０を紙幣処理装置１に装着する際、結束紙幣回収カセット７０を貨幣管理装置２に装着する際、結束紙幣回収カセット７０から結束紙幣を取り出して貨幣管理装置２に収納する作業を行う際のそれぞれで、バーコードリーダによって各カセットの識別情報を取得する。これにより、紙幣処理装置１では結束紙幣回収カセット７０のそれぞれに収納される結束紙幣の数や金種を、カセット毎に管理することができる。また、貨幣管理装置２では所定スペースに装着して保管される結束紙幣回収カセット７０や、結束紙幣を回収して貨幣管理装置２に収納する作業の対象となる結束紙幣回収カセット７０を区別することができる。この結果、複数の結束紙幣回収カセット７０のそれぞれを区別しながら、上述した各処理を行うことができる。また、貨幣管理装置２では、例えば、先に紙幣処理装置１から結束紙幣の数及び金種を示す情報を受信していた結束紙幣回収カセット７０の識別情報と、貨幣管理装置２で取得した結束紙幣回収カセット７０の識別情報とを比較して、両者が一致しない場合に、これを利用者に報知して確認を促すこともできる。
【０１０９】
この他、紙幣処理システムでは、貨幣管理装置２に加えて又は代えて、結束紙幣回収カセット７０を保管するための専用のクレードル１７０を利用することもできる。図８は、結束紙幣回収カセット７０を保管するためのクレードル１７０を利用する紙幣処理システムの例を示す斜視図である。クレードル１７０は、例えば、紙幣処理装置１が設置されている場所の近傍で、床面に固定して利用される。
【０１１０】
クレードル１７０は上面が開口されたボックス形状を有し、この開口から結束紙幣回収カセット７０を挿入して固定した状態で保管できるようになっている。具体的には、クレードル１７０の開口内の底面に、図６に示したカセット検知センサ１２０及びロック機構１３０と同一構造のカセット検知センサ及びロック機構が設けられており、クレードル１７０の上方から開口内に結束紙幣回収カセット７０を挿入すると、クレードル１７０の設けられたロック機構によって結束紙幣回収カセット７０がロックされる。なお、クレードル１７０が備えるロック機構の構造は特に限定されず、結束紙幣回収カセット７０をクレードル１７０の開口内に挿入した際にこれをロックすることができれば、図６に示したロック機構と異なる構造であっても構わない。
【０１１１】
クレードル１７０は、外部装置と通信可能な通信インターフェイスを有しており、紙幣処理装置１とクレードル１７０との間は、図８に破線で示したように、通信インターフェイス９０によって通信可能に接続されている。また、クレードル１７０は、通信インターフェイス９０を介して、紙幣処理装置１と接続された別の紙幣処理装置や操作端末等の外部装置とも通信可能に接続される。これにより、外部装置が備える操作表示部を利用してクレードル１７０のロック機構を制御したり、カセット検知センサによる検知結果を外部装置で取得して利用したりすることができる。例えば、クレードル１７０に設けられたカセット検知センサで検知した結束紙幣回収カセット７０の脱着日時等を記録することができる。
【０１１２】
結束紙幣回収カセット７０をクレードル１７０から取り外す際には、外部装置の操作表示部を操作することにより、クレードル１７０に設けられたロック機構を制御して、ロックを解除する。そして、結束紙幣回収カセット７０を持ち上げるようにしてクレードル１７０から取り外す。
【０１１３】
このように、紙幣処理装置１から取り外した結束紙幣回収カセット７０をクレードル１７０に装着してロックすることにより、セキュリティを確保した状態で結束紙幣回収カセット７０を保管することができる。
【０１１４】
紙幣処理装置１から取り外した結束紙幣回収カセット７０の保管方法については、結束紙幣回収カセット７０を紙幣処理装置１の筐体の外側面にロックして保管するようにしてもよい。この場合は、空の結束紙幣回収カセット７０を予め筐体の外側面にロックしておいて、結束紙幣が収納された結束紙幣回収カセット７０を紙幣処理装置１から取り外す際に、空の結束紙幣回収カセット７０を筐体外側面から取り外した後、紙幣処理装置１から取り外した結束紙幣回収カセット７０を筐体外側面にロックして保管する。空の結束紙幣回収カセット７０は、紙幣処理装置１に装着して利用する。筐体外側面への結束紙幣回収カセット７０のロック方法については、図６に示すようにロック板７０ｆやロックアーム１３０ａ等から成るロック機構を利用する態様であってもよいし、より簡便な方法を採用してもよい。例えば、紙幣処理装置１の筐体に筐体外側面から突出するように設けた金属板にロック用の貫通孔を設けておいて、この貫通孔を通したチェーンロックを結束紙幣回収カセット７０の取っ手に通してロックすることにより、チェーンロックのロックを解除しないと、結束紙幣回収カセット７０を紙幣処理装置１に装着したり持ち去ったりできないようにする。
【０１１５】
紙幣処理装置１から結束紙幣回収カセット７０を抜き取った後、別途用意していた空の結束紙幣回収カセット７０を装着することにより、通常通りに紙幣処理を継続できるが、これに加えて、紙幣処理装置１では、結束紙幣回収カセット７０を取り外した状態で紙幣処理装置１を長時間継続して利用できるようになっている。以下、図９を参照しながら具体的に説明する。
【０１１６】
図９は、紙幣処理装置１でバラ紙幣から結束紙幣を作成して結束紙幣回収カセット７０に収納する処理について説明する模式図である。紙幣処理装置１では、バラ紙幣金種別収納部３４のそれぞれに収納するバラ紙幣の上限枚数が設定されている。各バラ紙幣金種別収納部３４では、バラ紙幣の収納枚数が上限枚数に達すると、所定枚数のバラ紙幣を超過分とする。そして、超過分とされたバラ紙幣から結束紙幣を作成して結束紙幣回収カセット７０に収納する処理が行われる。これにより、バラ紙幣金種別収納部３４へ収納可能なバラ紙幣の枚数を増やすことができる。なお、超過分とするバラ紙幣の枚数は設定により変更できるようになっている。
【０１１７】
具体的には、バラ紙幣の収納枚数が上限枚数に達すると、バラ紙幣金種別収納部３４から１００枚のバラ紙幣を繰り出して、矢印９１で示すように、第１搬送部８１によって搬送して、紙幣識別部２０で識別した後、表裏反転部２２を経て整理一時保留部４０へ搬送する。なお、表裏反転部２２によって表裏を揃えるよう設定されている場合には、紙幣識別部２０による表裏の識別結果に基づいてバラ紙幣の表裏が揃えられる。
【０１１８】
結束対象となる１００枚のバラ紙幣を、バラ紙幣金種別収納部３４から繰り出して整理一時保留部４０へ収納した後、矢印９２で示すように、第２搬送部８２を構成する第１アーム機構５１が整理一時保留部４０内の全てのバラ紙幣を掴んで紙幣結束部４５へ搬送する。紙幣結束部４５によって、１００枚のバラ紙幣を結束して結束紙幣が作成されると、第１アーム機構５１は、作成された結束紙幣を上方へ搬送して第２アーム機構５２へ引き渡す。第３搬送部８３を構成する第２アーム機構５２は、矢印９３で示すように、第１アーム機構５１から受けた結束紙幣を出金部１６へ搬送する。このとき、出金部１６では、結束紙幣搬送ステージ５３が下方へ移動する。第２アーム機構５２は、出金部１６内の結束紙幣搬送ステージ５３上へ結束紙幣を載置した後、装置背面側へ後退する。第４搬送部８４を構成する結束紙幣搬送ステージ５３は、第２アーム機構５２から結束紙幣を受け取ると、矢印９４で示すように上昇する。そして、上昇した結束紙幣搬送ステージ５３上の結束紙幣は、矢印９５で示すように、結束紙幣搬送機構５５によって結束紙幣搬送路７５を搬送されて結束紙幣回収カセット７０に収納される。
【０１１９】
このように、バラ紙幣金種別収納部３４に収納されている１００枚のバラ紙幣から結束紙幣を作成して結束紙幣回収カセット７０に収納する処理を行うが、この処理を行うか否かを判定する基準となる、バラ紙幣金種別収納部３４の収納上限枚数には、第１閾値及び第２閾値２つの閾値がある。第１閾値は、結束紙幣回収カセット７０が紙幣処理装置１にロックされている場合の閾値であり、第２閾値は、紙幣処理装置１で結束紙幣回収カセット７０のロックが解除されている場合の閾値である。結束紙幣回収カセット７０が利用されている間の第１閾値は、結束紙幣回収カセット７０が取り外されて利用できない間の第２閾値より少ない紙幣枚数となっている。
【０１２０】
すなわち、結束紙幣回収カセット７０が紙幣処理装置１から取り外されると、バラ紙幣金種別収納部３４に収納するバラ紙幣の収納上限枚数を第１閾値から第２閾値に変更する。これにより、バラ紙幣金種別収納部３４に収納可能な紙幣枚数を増やして、バラ紙幣金種別収納部３４のバラ紙幣から超過分として結束紙幣を作成して結束紙幣回収カセット７０へ搬送して収納する処理が行われにくいようにする。この結果、結束紙幣回収カセット７０に結束紙幣を搬送する必要が生じて、結束紙幣回収カセット７０が取り外されているために紙幣処理が停止するという状況の発生を抑制することができる。
【０１２１】
また、バラ紙幣金種別収納部３４の閾値を第２閾値に設定したにも拘わらず、バラ紙幣の収納枚数が第２閾値を超えて、超過分とされるバラ紙幣が発生した場合には、この超過分のバラ紙幣から作成した結束紙幣の収納先を、結束紙幣回収カセット７０から結束紙幣金種別収納部７２に変更して、金種に応じて対応する結束紙幣金種別収納部７２に収納する。これにより、紙幣処理装置１から結束紙幣回収カセット７０を取り外した状態で、長時間継続して紙幣処理装置１を利用することができる。
【０１２２】
なお、バラ紙幣金種別収納部３４に収納されているバラ紙幣から結束紙幣を作成して結束紙幣回収カセット７０に収納する態様を示したが、各バラ紙幣金種別収納部３４で、バラ紙幣の収納枚数が上限枚数に達すると、超過分とされたバラ紙幣から結束紙幣を作成して結束紙幣金種別収納部７２へ搬送して収納するよう設定することもできる。例えば、通常は、バラ紙幣金種別収納部３４に収納されていたバラ紙幣から作成した結束紙幣を結束紙幣金種別収納部７２に収納するようにして、バラ紙幣金種別収納部３４に収納されていたバラ紙幣から作成した結束紙幣をすぐに回収する場合にのみ結束紙幣回収カセット７０に収納するように設定する。このようにすれば、作成した結束紙幣を結束紙幣金種別収納部７２に収納しておいて、この結束紙幣を、出金部１６から結束紙幣を出金する出金処理に利用することができる。
【０１２３】
結束紙幣金種別収納部７２のそれぞれにおいても、収納する結束紙幣の上限数が設定されており、この上限数に到達すると、所定数の結束紙幣が、超過分の結束紙幣として結束紙幣金種別収納部７２から繰り出されて結束紙幣回収カセット７０に収納されるようになっている。ただし、結束紙幣回収カセット７０が紙幣処理装置１から取り外されると、結束紙幣金種別収納部７２から結束紙幣回収カセット７０への結束紙幣の移動を禁止するようになっている。なお、結束紙幣回収カセット７０が紙幣処理装置１から取り外されている間、結束紙幣金種別収納部７２からの結束紙幣の繰り出しを禁止するものではなく、結束紙幣金種別収納部７２に収納していた結束紙幣を繰り出して出金部１６へ搬送して出金する処理を行うことは可能である。
【０１２４】
上述してきたように、本実施形態に係る紙幣処理装置１によれば、紙幣処理装置１の利用を続けながら、紙幣処理装置１内で超過分として回収された結束紙幣が収納される結束紙幣回収カセット７０を装置側面から抜き取ることができる。紙幣処理装置１から結束紙幣回収カセット７０を取り外す際に、結束紙幣回収カセット７０に対応して設けられた結束紙幣搬送路７５の開閉機構７５ａが、結束紙幣を搬送可能な搬送位置に固定される。これにより、紙幣処理装置１で紙幣処理を実行している最中であっても紙幣処理装置１から結束紙幣回収カセット７０を抜き取ることが可能であり、結束紙幣回収カセット７０を抜き取った後も、紙幣処理装置１で紙幣処理を行うことができる。
【０１２５】
また、紙幣処理装置１に結束紙幣回収カセット７０を装着している場合と、紙幣処理装置１から結束紙幣回収カセット７０を取り外している場合とで、紙幣処理に必要な紙幣枚数を超える超過分のバラ紙幣の有無を判定する閾値を変更することができる。これにより、紙幣処理装置１から結束紙幣回収カセット７０が取り外されている間に、結束紙幣回収カセット７０に超過分の結束紙幣を収納するために紙幣処理を中断せざるを得ない状況の発生を抑制して、紙幣処理装置１の利用を長時間継続することができる。
【０１２６】
また、紙幣処理装置１から取り外した結束紙幣回収カセット７０を、貨幣管理装置２や専用のクレードル１７０に装着してロックした状態で保管することにより、結束紙幣が収納されている結束紙幣回収カセット７０に係るセキュリティを確保することができる。例えば、紙幣処理装置１から結束紙幣回収カセット７０を取り外して貨幣管理装置２やクレードル１７０で保管した状態で、紙幣処理装置１の利用を継続することができる。また、紙幣処理装置１の利用を続けながら、貨幣管理装置２やクレードル１７０で保管していた結束紙幣回収カセット７０から結束紙幣を取り出して貨幣管理装置２等に収納する作業を行うことができる。そして、空になった結束紙幣回収カセット７０を紙幣処理装置１に戻す際にも、紙幣処理装置１の利用を停止することなく、紙幣処理が実行されている最中であっても結束紙幣回収カセット７０を紙幣処理装置１に装着することができる。
【産業上の利用可能性】
【０１２７】
以上のように、本発明に係る紙幣処理装置及び紙幣処理システムは、装置内の紙幣の収納量に起因する紙幣処理の中断や装置の利用休止の発生を抑制するために有用である。
【符号の説明】
【０１２８】
１  紙幣処理装置
２  貨幣管理装置
６  扉
１０、２２５  制御部
１１  筐体
１４  入金部
１４ｂ  紙幣繰出機構
１６  出金部
１６ａ、１６ｂ  開口部
２０  紙幣識別部
２２  表裏反転部
２４  入金リジェクト部
２６  出金リジェクト部
３０  一時保留部
３０ａ、３２ａ、３４ａ、７０ａ、７２ａ  ステージ
３０ｂ、３２ｂ、３４ｂ  紙幣繰出繰入機構
３２  バラ紙幣一括収納部
３４  バラ紙幣金種別収納部
４０  整理一時保留部
４５  紙幣結束部
５１  第１アーム機構
５１ａ、５２ａ  上側把持部
５１ｂ、５２ｂ  下側把持部
５２  第２アーム機構
５３  結束紙幣搬送ステージ
５４  結束紙幣支持機構（爪部材）
５５  結束紙幣搬送機構
５５ａ  プーリ
５５ｂ  結束紙幣搬送ベルト
５５ｃ  搬送突起
６０  結束紙幣識別部
７０  結束紙幣回収カセット
７０ｂ  カセット開閉機構
７０ｃ  蓋体
７０ｄ  鍵部
７０ｅ  遮光板
７０ｆ  ロック板
７２  結束紙幣金種別収納部
７５  結束紙幣搬送路
７５ａ  開閉機構
８０  搬送部
８０ａ  バラ紙幣搬送部
８０ｂ  バラ紙幣・結束紙幣搬送部
８０ｃ  結束紙幣搬送部
８１  第１搬送部
８２  第２搬送部
８３  第３搬送部
８４  第４搬送部
８５  第５搬送部
９０  通信インターフェイス
１２０  カセット検知センサ
１３０  ロック機構
１３０ａ  ロックアーム
１３０ｃ  バネ部材
１３０ｄ  ロックアーム駆動部
１７０  クレードル
２１１〜２１５  ドロア
２２６  操作部
２２７  表示部
２２８  ＩＤカードリーダ
【図１】
0006538387.tif 000002
【図２】
0006538387.tif 000003
【図３】
0006538387.tif 000004
【図４】
0006538387.tif 000005
【図５】
0006538387.tif 000006
【図６】
0006538387.tif 000007
【図７】
0006538387.tif 000008
【図８】
0006538387.tif 000009
【図９】
0006538387.tif 000010